(57)【要約】【課題】  開閉器の開閉操作の人為的ミスによる不測の停電や事故を発生しにくくするため、開閉器の開閉操作の順序を提示する開閉制御装置、開閉制御装置用プログラムおよび開閉制御方法を提供する【解決手段】  電力系統を記憶する記憶部３と、記憶部３に記憶された電力系統のうち遮断または投入の対象となる遮断投入対象箇所が作業者により入力される操作部２と、操作部２に入力された遮断投入対象箇所に対応する複数の開閉器の開閉シーケンスを作成する演算部８と、演算部８により作成された開閉シーケンスの順番で複数の開閉器の開閉制御を行う開閉制御部７と、    を有する。【選択図】  図１
2018182870.tif 000002
【特許請求の範囲】
【請求項１】
電力系統を記憶する記憶部と、
前記記憶部に記憶された電力系統のうち遮断または投入の対象となる遮断投入対象箇所が作業者により入力される操作部と、
前記操作部に入力された前記遮断投入対象箇所に対応する複数の開閉器の開閉シーケンスを作成する演算部と、
前記演算部により作成された前記開閉シーケンスの順番で前記複数の開閉器の開閉制御を行う開閉制御部と、
を有する開閉制御装置。
【請求項２】
前記複数の開閉器の近傍の人間の存在、不在を検出する検出部と、
前記検出部により人間が存在することが検出された場合に、警告を報知する報知部と、
を有する請求項１に記載の開閉制御装置。
【請求項３】
前記演算部は、前記演算部により作成された前記開閉シーケンスが作業者により承諾されたかの判断を行い、承諾されたと判断した場合に、前記開閉制御部により前記複数の開閉器の開閉制御を行う、
請求項１乃至２のいずれか１項に記載の開閉制御装置。
【請求項４】
前記複数の開閉器に対応して配置され、作業者により操作され、前記複数の開閉器の開閉制御を禁止する禁止信号を出力する開閉禁止検知部を有し、
前記演算部は、前記開閉禁止検知部による禁止信号を受信した場合、前記開閉制御部により前記複数の開閉器の開閉制御を行わない、
請求項１乃至３のいずれか１項に記載の開閉制御装置。
【請求項５】
記憶された電力系統のうち遮断または投入の対象となる遮断投入対象箇所が作業者により入力される入力ステップと、
前記入力ステップにて入力された前記遮断投入対象箇所に対応する複数の開閉器の開閉シーケンスを作成する開閉シーケンス作成ステップと、
前記開閉シーケンス作成ステップにより作成された前記開閉シーケンスの順番で前記複数の開閉器の開閉制御を行う開閉制御ステップと、
を有する開閉制御装置用プログラム。
【請求項６】
記憶された電力系統のうち遮断または投入の対象となる遮断投入対象箇所が作業者により入力される入力手段と、
前記操作部に入力された前記遮断投入対象箇所に対応する複数の開閉器の開閉シーケンスを作成する開閉シーケンス作成手段と、
前記演算部により作成された前記開閉シーケンスの順番で前記複数の開閉器の開閉制御を行う開閉制御手段と、
を有する開閉制御方法。
【発明の詳細な説明】
【技術分野】
【０００１】
本実施形態は電力系統に設けられた開閉器の開閉制御を行う開閉制御装置、開閉制御装置用プログラムおよび開閉制御方法に関する。
【背景技術】
【０００２】
電力系統に設けられた開閉器の開閉制御を行う開閉制御装置が知られている。この種の開閉制御装置は、開閉器の開閉を制御する制御信号を送信し開閉器を開閉することを特徴としている。
【先行技術文献】
【特許文献】
【０００３】
【特許文献１】特開２０１６−２５７９９公報
【発明の概要】
【発明が解決しようとする課題】
【０００４】
電力系統に複数の開閉器が設けられている。電力系統のメンテナンス時や事故発生時には、所望の電力系統の遮断または投入をこの開閉器にて行う必要がある。どの開閉器の遮断または投入を行うかの選択、及び開閉器の開閉操作の順序は作業者に任される。
【０００５】
当該作業は、操作マニュアルを確認しつつ最大限の注意を払っておこなわれるのだが、作業者の経験に頼る部分も少なくない。また、一つの電力系統のメンテナンス時や事故発生時に、電力系統に設けられた複数の開閉器を開閉することが必要とされる場合もある。これらの複数の開閉器は、数キロメートル離れた場所に配置されている場合もある。このため、遮断または投入すべき開閉器の選択、および開閉器の開閉操作の順序が誤って選択されることが懸念された。
【０００６】
作業者は、自己が選択した遮断または投入すべき開閉器の選択、および開閉器の開閉操作の順序が正しいか客観的に知ることができず作業に不安を覚えることもあった。誤った開閉器の選択および開閉操作の順序は、不測の停電や不測の短絡事故を招く場合があるからである。
【０００７】
また、開閉器の操作時には、安全確保作業を行い、安全が確保されたうえで開閉器の遮断または投入が行われることが必要とされる。安全確保作業として、開閉器周辺に人間が不在であることの確認を行うことが必要とされる。また他の安全確保作業として、他の作業員により対象となる開閉器が操作されないように警告を報知することが必要とされる。
【０００８】
これらの安全確保作業は、作業者により行われ、煩雑な作業となっていた。複数の開閉器が、数キロメートル離れた場所に配置されている場合、これらの安全確保作業に多大な時間と労力を要していた。
【０００９】
本実施形態は、開閉器の開閉操作の人為的ミスによる不測の停電や事故を発生しにくくするため、開閉器の開閉操作の順序を提示する開閉制御装置、開閉制御装置用プログラムおよび開閉制御方法を提供することを目的とする。
【課題を解決するための手段】
【００１０】
本実施形態の開閉制御装置は次のような構成を有することを特徴とする。
（１）電力系統を記憶する記憶部。
（２）前記記憶部に記憶された電力系統のうち遮断または投入の対象となる遮断投入対象箇所が作業者により入力される操作部。
（３）前記操作部に入力された前記遮断投入対象箇所に対応する複数の開閉器の開閉シーケンスを作成する演算部。
（４）前記演算部により作成された前記開閉シーケンスの順番で前記複数の開閉器の開閉制御を行う開閉制御部。
また、上記の各部の動作を実行するステップを有する開閉制御装置用プログラム、開閉制御方法も本実施形態に含まれる。
【図面の簡単な説明】
【００１１】
【図１】第１実施形態にかかる開閉制御装置の構成を示す図
【図２】第１実施形態にかかる開閉制御装置の表示部の表示を示す図
【図３】第１実施形態にかかる開閉制御装置用プログラムのフローを示す図
【図４】第１実施形態にかかる開閉シーケンスを示す図
【図５】第１実施形態にかかる開閉制御装置の構成を示す図
【図６】第１実施形態にかかる開閉制御装置用プログラムのフローを示す図
【発明を実施するための形態】
【００１２】
［第１実施形態］
［１−１．構成］
図１を参照して本実施形態の一例としての開閉制御装置１について説明する。
【００１３】
開閉制御装置１は、マイクロコンピュータ及びその周辺装置により構成される。開閉制御装置１は、作業者が電力監視を行う電力監視室等に配置される。開閉制御装置１は、電力監視室とは別の配電室に設置された複数の開閉器ＳＷａ〜ＳＷｇの開閉制御を行う。
【００１４】
開閉制御装置１は、操作部２、記憶部３、表示部４、検出部５、報知部６、開閉制御部７、演算部８を有する。
【００１５】
本実施形態において、同一構成の装置や部材が複数ある場合にはそれらについて同一の番号を付して説明を行い、また、同一構成の個々の装置や部材についてそれぞれを説明する場合に、共通する番号にアルファベットの添え字を付けることで区別する。
【００１６】
操作部２は、表示部４に設けられたタッチパネル式のスイッチにより構成される。操作部２は、出力側が演算部８に接続される。操作部２は、遮断または投入の対象となる所望の電力系統、開閉器または負荷が、作業者により選択され入力される。操作部２は、入力された遮断または投入の対象となる電力系統、開閉器、負荷を示す識別信号を演算部８に出力する。
【００１７】
記憶部３は、半導体メモリやハードディスクのような記憶媒体にて構成される。記憶部３は、予め設定された電力系統および開閉器ＳＷａ〜ＳＷｇの配置を記憶する。また、記憶部３は、開閉器ＳＷａ〜ＳＷｇの現在の開閉状態を記憶する。記憶部３は、演算部８により、データ読出しが制御される。
【００１８】
表示部４は、液晶パネルのような表示装置にて構成される。表示部４は、記憶部３に記憶された電力系統および開閉器ＳＷａ〜ＳＷｇの配置ならびに開閉器ＳＷａ〜ＳＷｇの現在の開閉状態を表示する。表示部４は、演算部８により、表示が制御される。
【００１９】
検出部５は、複数の検出器５ａ〜５ｃにより構成される。検出器５ａ〜５ｃは、カメラにより構成される。検出部５の検出器５ａ〜５ｃは、遮断または投入の対象となる開閉器ＳＷａ〜ＳＷｇが配置された配電室ごとに配置される。検出部５は、各配電室における開閉器ＳＷａ〜ＳＷｇ近傍の人間の存在、不在を検出し演算部８に出力する。
【００２０】
報知部６は、複数の報知器６ａ〜６ｃにより構成される。報知器６ａ〜６ｃは、スピーカにより構成される。報知部６の報知器６ａ〜６ｃは、遮断または投入の対象となる開閉器ＳＷａ〜ＳＷｇが配置された配電室ごとに配置される。報知部６は、演算部８により制御され、他の作業員により対象となる開閉器が操作されないように、対象となる開閉器が遮断投入される旨の警告を報知するための音声を出力する。
【００２１】
開閉制御部７は、複数の開閉制御器（図中不指示）を有する。開閉制御器は、リレーのようなステータス信号出力回路により構成される。開閉制御器は、遮断または投入の対象となる開閉器ＳＷａ〜ＳＷｇごとに配電室内に配置される。開閉制御部７の開閉制御器は、演算部８により制御され、開閉器ＳＷａ〜ＳＷｇごとに独立して開閉制御を行う。
【００２２】
演算部８は、ＣＰＵ回路により構成される。演算部８は、後述するコンピュータプログラムを内蔵する。演算部８は、操作部２、記憶部３、表示部４、検出部５、報知部６、開閉制御部７に接続され、これらの制御を行う。
【００２３】
開閉器ＳＷａ〜ＳＷｇは、真空遮断器等の電力用開閉器により構成される。開閉器ＳＷａ〜ＳＷｇは、電力系統に複数設置され、配電室Ａ〜Ｃごとに配置される。開閉器ＳＷａ〜ＳＷｇは、開閉制御装置１の開閉制御部７により制御され、設置された電力系統を導通または非導通とする。
［１−２．作用］
次に、本実施形態の開閉制御装置の動作の概要を図１〜４に基づき説明する。
【００２４】
図３は、開閉制御装置１の演算部８に内蔵された開閉制御装置用プログラムのフロー図である。演算部８は、下記の手順にて各部の制御および演算を行う。この開閉制御装置用プログラムは、開閉器ＳＷａ〜ＳＷｇを開状態に制御する場合、閉状態に制御する場合とも同様である。以下に、開閉器を開状態に制御する場合の動作について説明する。
【００２５】
（ステップＳ０１：電力系統および開閉器ＳＷａ〜ＳＷｇの開閉状態を表示部４に表示する）
演算部８は、記憶部３に記憶された、電力系統および開閉器ＳＷａ〜ＳＷｇの配置ならびに開閉器ＳＷａ〜ＳＷｇの現在の開閉状態を表示部４に表示させる。表示部４に表示された例を図２に示す。一例として本実施形態では初期状態において、開閉器ＳＷａ〜ＳＷｇはすべて閉状態であるものとする。
【００２６】
（ステップＳ０２：操作部２に遮断投入対象箇所が入力される）
作業者により操作部２に、遮断投入対象箇所が入力される。遮断投入対象箇所とは、遮断または投入の対象となる所望の電力系統、開閉器または負荷を意味する。操作部２は、図２に示す表示部４を覆うように設けられたタッチパネル式のスイッチにより構成される。遮断投入対象箇所の入力は、表示部４に表示された所望の電力系統、開閉器または負荷の部分に対応する操作部２の部分に、作業者がタッチし選択することにより行われる。
【００２７】
また、表示部４に表示された「遮断」「投入」の部分に対応する操作部２の部分に、作業者がタッチすることにより電力系統、開閉器、負荷への「遮断」または「投入」が、選択される。演算部８は、選択入力された電力系統、開閉器、負荷および「遮断」、「投入」を示す識別信号を操作部２から受信する。本実施形態では、メンテナンスのために「負荷Ｌ１１」への通電を「遮断」する旨が作業者により選択されたものとする。
【００２８】
（ステップＳ０３：開閉器の開閉シーケンスを作成し表示する）
次に、演算部８は、ステップＳ０２で操作部２から受信した「負荷Ｌ１１」への通電を「遮断」する旨の識別信号に基づき、開閉器ＳＷａ〜ＳＷｇの開閉シーケンスを作成し、表示部４に表示する。開閉シーケンスとは、開閉器ＳＷａ〜ＳＷｇを開閉する順番を意味する。作成された開閉シーケンスの例を、図４に示す。開閉シーケンスは、記憶部３に記憶された、電力系統および開閉器ＳＷａ〜ＳＷｇの配置に基づき作成される。また、開閉シーケンスは、記憶部３に記憶された、開閉器ＳＷａ〜ＳＷｇの現在の開閉状態を参照して作成される。
【００２９】
開閉シーケンスは、予め入力された基準となる開閉手順に沿って、作成される。例えば、開閉器を開状態とするときは、隣接する電力系統の下位に配置された開閉器を開状態とした後に、電力系統の上位に配置された開閉器を開状態とすることが基準となる開閉手順である。また、開閉器を閉状態とするときは、電力系統の上位に配置された開閉器を閉状態とした後に、隣接する電力系統の下位に配置された開閉器を閉状態とすることが基準となる開閉手順である。
【００３０】
（ステップＳ０４：開閉器の開閉シーケンスは作業者により承諾されたか判断する）
次に、演算部８は、ステップＳ０３で表示部４に表示された開閉シーケンスが、作業者により承諾されたかの判断を行う。開閉シーケンスを作業者が承諾する場合は、操作部２にＯＫの旨が入力される。作業者が非承諾の場合は、操作部２にＮＧの旨が入力される。演算部８は、作業者によりＮＧが入力されたと判断した場合、プログラムを終了する。一方、作業者によりＯＫの旨が入力されたと判断した場合、ステップＳ０５に移行する。
【００３１】
（ステップＳ０５：人間の存在、不在を示す検出部の検出信号を受信する）
ステップＳ０４で作業者によりＯＫの旨が入力されたと判断した場合、演算部８は、開閉器ＳＷａ〜ＳＷｇが配置された配電室ごとに配置された検出部５の検出器５ａ〜５ｃから、開閉器ＳＷａ〜ＳＷｇ近傍の人間の存在、不在を示す検出信号を受信する。
【００３２】
（ステップＳ０６：人間の存在、不在を判断する）
次に、演算部８は、ステップＳ０５で受信した開閉器ＳＷａ〜ＳＷｇ近傍の人間の存在、不在を示す検出信号に基づき、ステップＳ０３で作成された開閉シーケンスに現れる開閉器近傍の人間の存在、不在の判断を行う。本実施形態では、作成された開閉シーケンスに現れる開閉器ＳＷａ、ＳＷｄ、ＳＷｅ近傍の人間の存在、不在の判断を行う。人間が存在すると判断された場合は、ステップＳ０７に移行し、人間が不在であると判断された場合は、ステップＳ０９に移行する。
【００３３】
（ステップＳ０７：報知部６から、警告を報知する）
ステップＳ０６で人間が存在すると判断した場合、演算部８は、報知部６の報知器６ａ〜６ｃを介し、他の作業員により対象となる開閉器が操作されないように、対象となる開閉器が遮断投入される旨の警告を報知する。この報知は、遮断または投入の対象となる開閉器が配置された配電室の報知器が選択され行われる。本実施形態では、開閉器ＳＷａ、ＳＷｄ、ＳＷｅが遮断の対象となるので、報知器６ａ、６ｂ、６ｃが選択され警告が出力される。また、警告として、録音された「配電室から退出してください」、「開閉器の開閉を行いますので近寄らないでください」等の音声が出力される。
【００３４】
（ステップＳ０８：再度人間の存在、不在を判断する）
次に、演算部８は、再度検出部５の検出器５ａ〜５ｃから、開閉器ＳＷａ〜ＳＷｇ近傍の人間の存在、不在を示す検出信号を受信し、開閉器近傍の人間の存在、不在の判断を行う。人間が不在であると判断された場合は、ステップＳ０９に移行し、人間が存在すると判断された場合は、開閉器の開閉を行わずプログラムを終了する。
【００３５】
（ステップＳ０９：開閉シーケンス順に開閉器を開閉する）
次に、演算部８は、ステップＳ０３で作成した開閉シーケンスの順に開閉器を開閉する。本実施形態では、開閉器ＳＷｄ、ＳＷｅ、ＳＷａの順に、開閉器を開状態とする。その後プログラムを終了する。
【００３６】
本実施形態では、開閉器ＳＷａ〜ＳＷｇを開状態とする場合の開閉制御装置１の動作について説明したが、開閉器ＳＷａ〜ＳＷｇを閉状態とする場合の動作も同様な手順により行われる。開閉器ＳＷａ〜ＳＷｇを閉状態とする場合は、ステップＳ０２において電力系統、開閉器、負荷とともに「投入」が選択される。また、ステップＳ０３で、対象となる開閉器を閉状態とする開閉シーケンスが作成され、ステップＳ０９で開閉シーケンス順に開閉器が閉状態とされる。
【００３７】
［１−３．効果］
（１）本実施形態によれば、演算部８により、遮断投入対象箇所に対応する複数の開閉器の開閉シーケンスが作成され、演算部８により作成された開閉シーケンスの順番で、開閉制御部７により複数の開閉器の開閉制御が行われるので、開閉器の開閉操作の人為的ミスによる不測の停電や事故を発生しにくくすることができる。
【００３８】
（２）本実施形態によれば、検出部５により開閉器の近傍の人間の存在、不在が検出され、検出部５により人間が存在することが検出された場合に、報知部６により警告が報知されるので、安全に開閉器の開閉を行うことができる。
【００３９】
（３）本実施形態によれば、演算部８により作成された開閉シーケンスが作業者により承諾されたかの判断を行い、承諾されたと判断した場合に、開閉制御部７により複数の開閉器の開閉制御が行われるので、より安全に開閉器の開閉を行うことができる。
【００４０】
［第２実施形態］
［２−１．構成］
第２実施形態にかかる開閉制御装置の一例について図５を参照して説明する。なお、この第２実施形態の開閉制御装置の構成において、図１に示す第１実施形態と同一部分は同一符号で示す。
【００４１】
この第２実施形態における開閉制御装置は、第１実施形態に加え、開閉禁止検知部２１を更に有している点が第１実施形態と相違する。
【００４２】
開閉禁止検知部２１は、さらに複数の開閉禁止スイッチ２１ａ〜２１ｇにより構成される。開閉禁止スイッチ２１ａ〜２１ｇは、開閉器ＳＷａ〜ＳＷｇに対応して配置される。開閉禁止スイッチ２１ａ〜２１ｇは、作業者によりＯＮまたはＯＦＦに操作され、禁止信号を演算部８に出力する。
【００４３】
禁止信号とは、対象となる開閉器が開閉制御装置１から開閉制御されることを禁止することを表明するための信号であり、開閉器ＳＷａ〜ＳＷｇごと個別に開閉禁止スイッチ２１ａ〜２１ｇに設定される。禁止信号は、開閉禁止スイッチ２１ａ〜２１ｇのＯＮまたはＯＦＦのステータス信号であり、ＯＮにて開閉制御されることを禁止する禁止信号となる。
【００４４】
［２−２．作用］
次に、本実施形態の開閉制御装置の動作の概要を図５〜６に基づき説明する。
【００４５】
図６は、開閉制御装置１の演算部８に内蔵された開閉制御装置用プログラムのフロー図である。第２実施形態にかかる開閉制御装置用プログラムは、第１実施形態にかかる開閉制御装置用プログラムに加え、ステップＳ１１、ステップＳ１２を有する。その他のステップは、図３に示す第１実施形態の開閉制御装置用プログラムと同一であるので説明を省略する。この開閉制御装置用プログラムは、開閉器ＳＷａ〜ＳＷｇを開状態に制御する場合、閉状態に制御する場合とも同様である。
【００４６】
（ステップＳ１１：対象となる開閉器の禁止信号を受信したか判断する）
演算部８は、ステップＳ０３で開閉器ＳＷａ〜ＳＷｇの開閉シーケンスを作成し、表示部４に表示した後、開閉禁止検知部２１から、開閉シーケンスに現れる開閉器ＳＷａ〜ＳＷｇに関する禁止信号を受信したかの判断を行う。
【００４７】
具体的には、演算部８は、開閉シーケンスに現れる開閉器ＳＷａ〜ＳＷｇに対応した開閉禁止スイッチ２１ａ〜２１ｇがＯＮとなっているかの検出を行う。開閉禁止スイッチ２１ａ〜２１ｇは、開閉器の近傍にいる作業者により操作され、対象となる開閉器ＳＷａ〜ＳＷｇが開閉制御装置１から開閉制御されることを禁止することを表明する。開閉器の近傍にいる作業者により対象となる開閉器がすでにメンテナンス中である場合など、この開閉禁止スイッチ２１ａ〜２１ｇが操作され、禁止信号が演算部８に出力される。
【００４８】
開閉シーケンスに現れる開閉器に関する禁止信号を受信した場合、開閉制御装置１は、この開閉器の開閉制御を行わない。ステップＳ１１で対象となる開閉器の禁止信号を受信したと判断した場合は、ステップＳ１２に移行し、禁止信号を受信しないと判断した場合は、ステップＳ０４に移行する。
【００４９】
（ステップＳ１２：開閉器を開閉できない旨の警告表示を行う）
ステップＳ１１で開閉シーケンスに現れる開閉器に関する禁止信号を受信したと判断した場合、演算部８は、表示部４に開閉器がすでに操作中であり開閉制御できない旨の警告表示を行う。この警告表示は、どの開閉器が操作中であるか併せて表示される。その後プログラムを終了する。
【００５０】
［２−３．効果］
本実施形態によれば、開閉禁止検知部２１による開閉器の開閉制御を禁止する禁止信号を受信した場合、開閉制御部７により開閉器の開閉制御が行われないので、開閉器を操作中の作業者の安全を確保することができる。
【００５１】
［他の実施形態］
変形例を含めた実施形態を説明したが、これらの実施形態は例として提示したものであって、発明の範囲を限定することを意図していない。これらの実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【００５２】
（１）上記実施形態では、検出部５は、カメラにより構成されるものとしたが、検出部５の構成は、これに限られない。検出部５は、人感センサ、入出ドアに設けられたドアの開閉センサ、フロアマット式の人間の重量を検出するセンサ、およびこれらの組合せにより人間の存在、不在を検出するものであってもよい。
【００５３】
（２）上記実施形態では、報知部６は、スピーカにより構成されるものとしたが、報知部６の構成は、これに限られない。報知部６は、回転灯のような警告灯、警告表示器、ブザーのような警告音発生器、およびこれらの組合せにより他の作業員により対象となる開閉器が操作されないように警告を報知するものであってもよい。また、マイクを介し人の肉声により警告を報知するものであってもよい。
【００５４】
（３）上記実施形態では、開閉器ＳＷａ〜ＳＷｇの開閉シーケンスは、表示部４に表示されるものとしたが、開閉制御装置１は、印刷部を有し、印刷部により開閉シーケンスが印刷されるようにしてもよい。また、開閉制御装置１は、通信部を有し、通信部により開閉シーケンスが送信されるようにしてもよい。
【００５５】
（４）上記実施形態では、開閉器ＳＷａ〜ＳＷｇの開閉シーケンスの一例を示したが、基準となる開閉手順はこれに限られない。電力系統ごとに適した基準となる開閉手順が設定されるようにしてもよい。
【００５６】
（５）上記実施形態では、ステップＳ０４にて作業者により開閉シーケンスが承諾されたか判断するものとしたが、ステップ４はスキップするようにしてもよい。
【００５７】
（６）上記実施形態では、開閉器ＳＷａ〜ＳＷｇは一対の接点を有するものとしたが、開閉器ＳＷａ〜ＳＷｇはこれに限られない。例えば、開閉器ＳＷａ〜ＳＷｇは、「遠隔操作」「直接操作」の切換ができる構造を有する開閉器であってもよい。
【符号の説明】
【００５８】
１・・・開閉制御装置
２・・・操作部
３・・・記憶部
４・・・表示部
５・・・検出部
５ａ、５ｂ、５ｃ・・・検出器
６・・・報知部
６ａ、６ｂ、６ｃ・・・報知器
７・・・開閉制御部
８・・・演算部
９・・・表示部
２１・・・開閉禁止検知部
２１ａ〜２１ｇ・・・開閉禁止スイッチ
ＳＷａ〜ＳＷｇ・・・開閉器
【図１】
2018182870.tif 000003
【図２】
2018182870.tif 000004
【図３】
2018182870.tif 000005
【図４】
2018182870.tif 000006
【図５】
2018182870.tif 000007
【図６】
2018182870.tif 000008